(57)【要約】【課題】細かい部分の容易な熱変色が可能となり、また、一旦加熱した後の加熱変色具を用いて長時間の熱変色作業が可能となる加熱変色具セットを提供する。【解決手段】加熱変色具セットは、熱変色層４を熱変色させる加熱変色具２と、該加熱変色具２を加熱する加熱装置３とからなる。加熱変色具２が、前端に凸曲面状の接触面２１ａを備えた金属材料からなる加熱部２１を備える。加熱装置３が、加熱部２１を保持すると同時に加熱部２１の少なくとも接触面２１ａ以外の外面を加熱する保持部３１と、該保持部３１を加熱する通電発熱体３２とを備える。加熱変色具２の加熱部２１と加熱装置３の保持部３１とを接離自在に構成する。【選択図】  図１
2013135711.tif 000002
【特許請求の範囲】
【請求項１】
熱変色層を熱変色させる加熱変色具と、該加熱変色具を加熱する加熱装置とからなる加熱変色具セットであって、前記加熱変色具が、前端に凸曲面状の接触面を備えた金属材料からなる加熱部を備え、前記加熱装置が、前記加熱部を保持すると同時に前記加熱部の少なくとも接触面以外の外面を加熱する保持部と、該保持部を加熱する通電発熱体とを備え、前記加熱変色具の加熱部と前記加熱装置の保持部とを接離自在に構成したこと特徴とする加熱変色具セット。
【請求項２】
前記加熱変色具が、前記加熱部の後方に熱伝導可能に連設される金属材料からなる本体部を備えた請求項１記載の加熱変色具セット。
【請求項３】
前記加熱変色具の本体部の外面に断熱性の外皮を設けた請求項２記載の加熱変色具セット。
【請求項４】
前記加熱装置の保持部に、前記加熱変色具の加熱部を挿入保持可能な孔を設けた請求項１、２または３記載の加熱変色具セット。
【発明の詳細な説明】
【技術分野】
【０００１】
本発明は、加熱変色具セットに関する。
【背景技術】
【０００２】
従来、特許文献１には、熱または冷熱媒体を収容する金属製の容器からなる玩具用加熱、冷却具と、該加熱、冷却具の載置部に載置可能なスタンプ部材とが開示されている。
【０００３】
前記特許文献１の加熱、冷却具は、熱変色を利用したスタンプ遊びのためのものである。前記特許文献１のスタンプ部材は、過熱、冷却具から熱を受ける部分と、熱変色性平面部に接触する部分とが同一箇所である。そのため、細かい部分の熱変色には不向きであり、また、短時間でスタンプ部材の熱が失われやすく、スタンプ部材を頻繁に加熱、冷却具と接触させる必要がある。
【先行技術文献】
【特許文献】
【０００４】
【特許文献１】実用新案登録第２５４１７４３号公報
【発明の概要】
【発明が解決しようとする課題】
【０００５】
本発明は、前記従来の問題点を解決するものであって、熱変色層の細かい部分を容易に熱変色させることができ、また、一旦加熱した後の加熱変色具を用いて長時間の熱変色作業が可能となる加熱変色具セットを提供しようとするものである。
本発明で、加熱変色具において、「前」とは、加熱部側を指し、「後」とは本体部側を指す。
【課題を解決するための手段】
【０００６】
本願の第１の発明は、熱変色層４を熱変色させる加熱変色具２と、該加熱変色具２を加熱する加熱装置３とからなる加熱変色具セットであって、前記加熱変色具２が、前端に凸曲面状の接触面２１ａを備えた金属材料からなる加熱部２１を備え、前記加熱装置３が、前記加熱部２１を保持すると同時に前記加熱部２１の少なくとも接触面２１ａ以外の外面を加熱する保持部３１と、該保持部３１を加熱する通電発熱体３２とを備え、前記加熱変色具２の加熱部２１と前記加熱装置３の保持部３１とを接離自在に構成したこと要件とする。
【０００７】
前記第１の発明の加熱変色具セット１は、前記加熱変色具２が、前端に凸曲面状の接触面２１ａを備えた金属材料からなる加熱部２１を備え、前記加熱装置３が、前記加熱部２１を保持すると同時に前記加熱部２１の少なくとも接触面２１ａ以外の外面を加熱する保持部３１と、該保持部３１を加熱する通電発熱体３２とを備え、前記加熱変色具２の加熱部２１と前記加熱装置３の保持部３１とを接離自在に構成したことにより、加熱変色具２を用いて熱変色層４の細かい部分を容易に熱変色させることができる。
【０００８】
本願の第２の発明は、前記第１の発明の加熱変色具セット１において、前記加熱変色具２が、前記加熱部２１の後方に熱伝導可能に連設される金属材料からなる本体部２２を備えたことを要件とする。
【０００９】
本願の第２の発明の加熱変色具セット１は、加熱変色具２の加熱部２１及び本体部２２が加熱装置３によって加熱されるため、加熱変色具２に熱が十分に蓄えられるため、加熱変色具２を１回加熱するだけで長時間の熱変色作業が可能となる。
【００１０】
本願の第３の発明は、前記第３の発明の加熱変色具セット１において、前記加熱変色具２の本体部２２の外面に断熱性の外皮２３を設けたこと要件とする。
【００１１】
前記第３の発明の加熱変色具セット１は、前記断熱性の外皮２３により、本体部２２の熱が外部に放出することを回避し、頻繁な加熱部２１への加熱を必要とせず、加熱部２１の高温状態が維持でき、一旦加熱した後の加熱変色具２で、より一層、長時間の熱変色作業が可能となる。また、前記第３の発明の加熱変色具セット１は、加熱変色具２を把持して使用する際、前記断熱性の外皮２３を介して把持するため、本体部２２の熱が手に伝わらず、手に熱さを感じることなく、快適な使用が可能となる。
【００１２】
本願の第４の発明は、前記第１、第２または第３の発明の加熱変色具セット１において、前記加熱装置３の保持部３１に、前記加熱変色具２の加熱部２１を挿入保持可能な孔３１ａを設けたことを要件とする。
【００１３】
前記第４の発明の加熱変色具セット１は、加熱装置３の保持部３１に、加熱変色具２の加熱部２１を挿入保持可能な孔３１ａを設けたことにより、加熱変色具２の安定した保持と、加熱変色具２への安定した加熱とが同時に得られる。
【発明の効果】
【００１４】
本発明の加熱変色具セットは、熱変色層の細かい部分を容易に熱変色させることができる。
【図面の簡単な説明】
【００１５】
【図１】本発明の加熱変色具セットの実施の形態の縦断面図である。
【図２】図１の加熱変色具の使用状態を示す縦断面図である。
【図３】図１の加熱装置の縦断面図である。
【発明を実施するための形態】
【００１６】
本発明の加熱変色具セットの実施の形態を図１乃至図３に示す。
【００１７】
本実施の形態の加熱変色具セット１は、加熱変色具２と、該加熱変色具２を加熱する加熱装置３とからなる。
【００１８】
・加熱変色具
前記加熱変色具２は、加熱部２１と、該加熱部２１の後端部に連設される本体部２２と、該本体部２２の外面を覆う断熱性の外皮２３とからなる。
【００１９】
・加熱部
前記加熱部２１は、横断面円形の棒状体からなり、その前端には、凸曲面状の接触面２１ａが形成される。前記加熱部２１は、金属材料からなる。前記加熱部２１を構成する金属材料は、例えば、銅、真鍮、アルミニウム、ステンレス鋼またはこれらの合金等が挙げられる。
【００２０】
・本体部
前記本体部２２は、前記加熱部２１より外径が大きい横断面円形状の棒状体からなり、その前端面には、前方に開口する取付孔２２ａが形成される。前記取付孔２２ａには、前記加熱部２１の後端部が嵌入され、前記加熱部２１の後端部と前記本体部２２の前端部とが接合される。それにより、前記本体部２２の前端よりも前方に前記加熱部２１が突出されるとともに、前記加熱部２１と前記本体部２２とが熱伝導可能に連設される。前記加熱部２１と前記本体部２２とは、前記二部材による構成以外にも、一部材で一体に形成されてもよい。前記本体部２２の形状は、これ以外にも、球形状、玉子形状、ひょうたん形状、角柱形状、円錐形状、角錐形状、砲弾形状等、何れであってもよい。また、前記本体部２２は、蓄熱性能を高めるために、中空体でなく、中実体により形成される。
【００２１】
前記本体部２２を構成する金属材料は、例えば、銅、真鍮、アルミニウム、ステンレス鋼またはこれらの合金等が挙げられる。前記本体部２２と前記加熱部２１とは、同一の金属材料または異なる金属材料により形成される。
【００２２】
・外皮
前記断熱性の外皮２３は、多孔質材料、繊維材料、紙、木材または合成樹脂から形成される。前記断熱性の外皮２３は、本体部２２の前端部を除く全周囲を被覆するよう設けられる。前記本体部２２の前端は、前記断熱性の外皮２３の前端より僅かに前方に突出している。それにより、加熱変色具２の加熱部２１の外周面と本体部２２の前端面が、加熱装置３の保持部３１に確実に接触可能となると同時に、断熱性の外皮２３の前端が加熱装置３の保持部３１と非接触状態に維持される。
【００２３】
・加熱装置
前記加熱装置３は、円柱状の保持部３１と、該保持部３１に取り付けられる環状の通電発熱体３２と、前記保持部３１及び通電発熱体３２を収容するケース３３とからなる。前記加熱装置３は、加熱変色具２を立設状態で保持するスタンド式である。
【００２４】
・保持部
前記保持部３１は、少なくとも上方に開口する孔３１ａと、本体部２２の前端が当接する当接部３１ｂとを備える。前記保持部３１は、熱伝導性の材料からなる。前記熱伝導性の材料は、例えば、金属、熱伝導性樹脂、熱伝導性ゴム等が挙げられる。前記加熱部２１と前記保持部３１とは接離自在に構成される。本実施の形態では、前記孔３１ａは、上下方向に貫通されている。
【００２５】
・通電発熱体
前記通電発熱体３２は、通電により発熱するものであり、例えば、金属系抵抗発熱体、セラミックヒーター等が挙げられる。また、前記通電発熱体３２は、外部電源（例えばＵＳＢ電源）または内部電源（例えば電池）と接続される。図１では、前記通電発熱体３２が外部電源に接続される。
【００２６】
・ケース
前記ケース３３は、断熱性材料（例えば、多孔質材料、繊維材料、紙、木材または合成樹脂等）からなる。前記ケース３３の内部には、保持部３１及び通電発熱体３２が収容される。前記ケース３３の上面には、保持部３１の上面の当接部３１ｂが露出されるとともに前記保持部３１の上面に孔３１ａが開放される。また、前記ケース３３の上面には、保持部３１の上面を押さえ且つ加熱変色具２の本体部２２外周面を包囲する環状体３３ａが取り付けられる。
【００２７】
・作用
加熱変色具２の加熱部２１を、加熱装置３の保持部３１の孔３１ａに挿入する（図１）。この状態において、加熱部２１の接触面２１ａ以外の径方向外面が保持部３１の孔３１ａ内面に接触すると同時に、本体部２２の前端が保持部３１の当接部３１ｂに接触する。これにより、加熱変色具２が加熱装置３に立設状態で保持され、加熱部２１及び本体部２２と保持部３１との接触状態が維持される。保持部３１を通電発熱体３２で加熱すると、保持部３１の熱が加熱部２１及び本体部２２に伝わり、加熱部２１及び本体部２２が加熱され、加熱部２１及び本体部２２の全体が加熱される。本実施の形態では、本体部２２の前端が、加熱装置３の保持部３１の当接部３１ｂに当接されるため、加熱部２１及び本体部２２の全体を迅速に加熱できる。
【００２８】
前記加熱変色具２を加熱装置３から離すと、加熱部２１と保持部３１との接触状態が解除される（図２）。この状態で、加熱変色具２の加熱部２１及び本体部２２の高温状態が維持される。前記加熱後の加熱変色具２を、断熱性の外皮２３を介して把持し、その加熱部２１の接触面２１ａを熱変色層４に接触させ、熱変色層４を熱変色させることができる。
【００２９】
本実施の形態の加熱変色具セット１は、前記加熱変色具２が、前端に凸曲面状の接触面２１ａを備えた金属材料からなる加熱部２１を備え、前記加熱装置３が、前記加熱部２１を保持すると同時に前記加熱部２１の少なくとも接触面２１ａ以外の外面を加熱する保持部３１と、該保持部３１を加熱する通電発熱体３２とを備え、前記加熱変色具２の加熱部２１と前記加熱装置３の保持部３１とを接離自在に構成したことにより、加熱変色具２を用いて熱変色層４の細かい部分を容易に熱変色させることが可能となる。
【００３０】
本実施の形態の加熱変色具セット１は、加熱変色具２の加熱部２１及び本体部２２が加熱装置３によって加熱されるため、加熱変色具２に熱が十分に蓄えられるため、加熱変色具２を一回加熱するだけで長時間の熱変色作業が可能となる。
【００３１】
本実施の形態の加熱変色具セット１は、前記断熱性の外皮２３により、本体部２２の熱が外部に放出することを回避し、頻繁な加熱部２１への加熱を必要とせず、加熱部２１の高温状態が維持でき、一旦加熱した後の加熱変色具２で、より一層、長時間の熱変色作業が可能となる。また、本実施の形態の加熱変色具セット１は、加熱変色具２を把持して使用する際、前記断熱性の外皮２３を介して把持するため、本体部２２の熱が手に伝わらず、手に熱さを感じることなく、快適な使用が可能となる。
【００３２】
本実施の形態の加熱変色具セット１は、加熱装置３の保持部３１に、加熱変色具２の加熱部２１を挿入保持可能な孔３１ａを設けたことにより、加熱変色具２の安定した保持と、加熱変色具２への安定した加熱とが同時に得られる。
【符号の説明】
【００３３】
１  加熱変色具セット
２  加熱変色具
２１  加熱部
２１ａ  接触面
２２  本体部
２２ａ  取付孔
２３  外皮
３  加熱装置
３１  保持部
３１ａ  孔
３１ｂ  当接部
３２  通電発熱体
３３  ケース
３３ａ  環状体
４  熱変色層
【図１】
2013135711.tif 000003
【図２】
2013135711.tif 000004
【図３】
2013135711.tif 000005